(57)【要約】      （修正有）【課題】スキースポーツ専用バックパックを提供する。【解決手段】本考案のスキースポーツ専用バックパックは、内部に少なくとも１つの内部収容空間を提供する収容袋を設けるパック体と、その上に２つの靴体１４を附したスノーボード１３と、該スノーボード１３を安置させる空間を提供する下収納層１２と、該下収納層１２に設けられ、該スノーボード１３を収納後に該下収納層１２と相互に開閉関係を呈する上収納層１１と、を含み、そのうち、該下収納層１２に下粘着面１０ａを設け、該スノーボード１３の収納時、該上収納層１１に１本以上の粘着面１０ｂを設け、該下粘着面１０ａと被覆粘着の用途をなす。【選択図】図３
0003216032.tif 000002
【実用新案登録請求の範囲】
【請求項１】
その上に２つの靴体挟持層を附したスノーボードを含むスキースポーツ専用バックパックであって、
更に、
内部に少なくとも１つの内部収容空間を提供する収容袋を設けるパック体と、
該スノーボードを安置させる空間を提供する下収納層と、
該下収納層に設けられ、該スノーボードを収納後に該下収納層と相互に開閉関係を呈する上収納層と、
を含み、そのうち、該下収納層に下粘着面を設け、該スノーボードの収納時、該上収納層に1本以上の粘着面を設け、該下粘着面と被覆粘着の用途をなすことを特徴とするスキースポーツ専用バックパック。
【請求項２】
前記パック体辺側は、該パック体を背負うことができる片側ショルダーストラップを設ける請求項１に記載のスキースポーツ専用バックパック。
【請求項３】
前記片側ショルダーストラップは、太ショルダーストラップ及び細バックベルトの２つの方式の背負いベルト体である請求項１に記載のスキースポーツ専用バックパック。
【請求項４】
前記下収納層の一側にラッチベルトを設ける。該パック体は、必要に応じて、１つ以上の延伸パックを付設できる請求項１に記載のスキースポーツ専用バックパック。
【請求項５】
前記パック体は、設計の必要に応じて上提げベルトを設け、一側提げベルトである請求項１に記載のスキースポーツ専用バックパック。
【請求項６】
前記パック体内部の該収容袋の収納空間の閉鎖方式は、１つ以上のジッパーを設ける請求項１に記載のスキースポーツ専用バックパック。
【請求項７】
前記下収納層と該上収納層のスノーボード収納方式は、１つ以上の収納雄ラッチと１つ以上の収納雌ラッチを設け、これにより、該スノーボードの固定を更に強固する請求項１に記載のスキースポーツ専用バックパック。
【請求項８】
前記収容袋は、１つ以上の保温袋を設ける請求項１に記載のスキースポーツ専用バックパック。
【請求項９】
前記保温袋は、保温可能な金属箔で収納空間を被覆形成したものである請求項１に記載のスキースポーツ専用バックパック。
【考案の詳細な説明】
【技術分野】
【０００１】
本考案は、スキースポーツ専用バックパックに関し、特に、スノーボードを迅速に収納取り出しでき、背負う行動を軽快にし、スキースポーツの複数の機能および非スキーの一般の多用途のバックパックを満たすことができるスキースポーツ専用バックパックに関する。
【背景技術】
【０００２】
スキースポーツは、多くの刺激的で健康的なスポーツを設けるものに好まれているが、スキースポーツは、比類なき冒険感覚、白い雪の寒冷の快感を与え、更に、雪の美景を享受、体験でき、特に、スキー活動により雪の美しさ及び極限的運動の感動動画を撮影でき、最も重要であるのは、友人と同じスキーの記憶を記録できることである。しかしながら、美しい雪の活動を達成するため、重いスノーボードを背負う必要がある以外、更に、撮影を好む者が、携帯電話を携帯し、カメラ等の電子機器を携帯する準備する必要があるが、雪のある場所では、電池の消費電量が速くなり、また、モバイル電源を必要とし、電池を用意する必要があり、これらは、往々にして自己のズボンのポケット及びスノーコートのポケットを充満させ、使用する時に取り出しに不便である。更に、水を飲むための水筒、小銭、札、ルームキーを携帯する必要があり、カロリーを補充するためのお菓子、カイロを要し、手にスノーボードをもち、時には更にヘルメット、手袋があり、両手がふさがり、対応しきれなくなる。この時、要求に合ったバックを探したくなるが、スキー専用バックは、非常に大きく、そんなに大きなものを使い切れず、一般の小さいバッグは、スキー時に携帯、背負うことに不便である。同時に多くの場合、スノーボードを携帯する必要がある時、民宿からスキー場への移動、バスに乗る時、または自身で運転するか、スキー場の入口からケーブルカーの場所へ歩く時、スキーを実際に開始する前まで、長い時間両手に固定したスノーボードをもつ必要があり、一般の女性は、非常に苦労し、更に自己の装備が加えられ、これらの問題を解決できる専用バッグがあれば、最も好ましい選択となり、両手を開放でき、従って、スキースポーツ専用バックパックを開発し、且つこれらスキー活動で生じる多くの負担の問題を解決できるようにすることは、この種の製品を研究開発する考案者が向き合う大きな課題である。
【０００３】
一般に市場におけるスキースポーツの簡易スノーボード（スキー板）は、以下の問題を容易に発生する。
一、あるものは、保護機能を有するだけで携帯できない。
二、あるものは、スノーボードを背負うことができるが、スノーボードを背負うことにより、歩行時にスノーボードが脚にぶつかり行動し難くなる。
三、あるものは、スノーボード携帯機能を満たすが、更に多くのその他の個人装備又は必要携帯品を満たすことができない。
四、あるものは、スノーボードを取り外した後、自身が収納又は携帯する必要がある場合に困難な問題がある。
五、専門のスノーボードパックは、通常、何れも大きく、野を越えてスキーを行うのではなければ、通常、それほど多くの容量を必要とせず、背負っても負担となるだけである。
六、専門のスノーボードパック背負いシステムは、何れもバッグを下ろして初めてスノーボードを取り外すことができる。
七、両肩リュックも物品の取り出しが困難であり、市場のバックは、後面側にジッパーを開き、スノーコートを着用して雪の地の上で操作することはあまり便利ではない。
【０００４】
従って、上記従来の問題及び欠陥を如何に解決するかは、本考案の考案者及び当業界に従事する関連企業が研究改善を欲するところである。
【０００５】
図１に示すのは、従来のスノーボードバックパックであり、該スキーパックは、スノーボードを背負う単一の機能のみを有し、更に従来のスノーボードベルトは、スノーボードを垂直に背負うことによって足部に摩擦衝突が生じ、且つその他の物品を携帯装備することができず、スキーの開始時に収納の不便を招く。
【先行技術文献】
【特許文献】
【０００６】
【特許文献１】特開平８−３３０号公報
【考案の概要】
【考案が解決しようとする課題】
【０００７】
故に、本考案の考案者は、上記に欠陥に鑑み、関連資料を収集し、多くの評価及び考慮を経て、本業界に長年従事した経験により、絶えず試作、修正を行い、ようやくこのスキースポーツ専用バックパックを提供している。
【０００８】
本考案の目的は、内部に少なくとも１つの内部収容空間を提供する収容袋を設けるパック体と、その上に２つの靴体を附したスノーボードと、該スノーボードを安置させる空間を提供する下収納層と、該下収納層に設けられ、該スノーボードを収納後に該下収納層と相互に開閉関係を呈する上収納層と、を含み、そのうち、該下収納層に下粘着面を設け、該スノーボードの収納時、該上収納層１１に1本以上の粘着面を設け、該下粘着面と被覆粘着の用途をなすスキースポーツ専用バックパックを提供することにある。
【０００９】
該パック体辺側は、該パック体を背負うことができる片側ショルダーストラップを設ける。該片側ショルダーストラップは、太ショルダーストラップ及び細バックベルトの２つの方式の背負いベルト体であることができる。該下収納層の一側にラッチベルトを設ける。該パック体は、必要に応じて、１つ以上の延伸パックを付設できる。該パック体は、設計の必要に応じて上提げベルトを設け、一側提げベルトであることができる。そのうち、該パック体内部の該収容袋の収納空間の閉鎖方式は、１つ以上のジッパーを設けることができる。そのうち、該下収納層と該上収納層のスノーボード収納方式は、１つ以上の収納雄ラッチと１つ以上の収納雌ラッチを設けることができ、これにより、該スノーボードの固定を更に強固することができる。該収容袋は、１つ以上の保温袋を設けることができ、そのうち、該保温袋は、保温可能な金属箔で収納空間を被覆形成したものである。
【００１０】
上記技術により、本考案は、確かに上記従来技術等により想到し得ない実用性、新規性および進歩性を有する。
【課題を解決するための手段】
【００１１】
本考案のスキースポーツ専用バックパックは、その上に２つの靴体挟持層を附したスノーボードを含むスキースポーツ専用バックパックであって、更に、内部に少なくとも１つの内部収容空間を提供する収容袋を設けるパック体と、該スノーボードを安置させる空間を提供する下収納層と、該下収納層に設けられ、該スノーボードを収納後に該下収納層と相互に開閉関係を呈する上収納層と、を含み、そのうち、該下収納層に下粘着面を設け、該スノーボードの収納時、該上収納層に1本以上の粘着面を設け、該下粘着面と被覆粘着の用途をなすことを特徴とする。
【考案の効果】
【００１２】
上記要素により、以下の進歩性、実用性を有効に達成できる。
１．スキー／平常時の何れも使用できる。
２．隠したスノーボード背負いシステム：スノーボードの取り外し／組み立てが極めて迅速であり、更には、バッグを下ろす必要がない。
３．スリングバッグ（Sling Bag）斜め掛けバッグの設定、スノーボードの斜め掛けで足を打つことがなく、迅速に収容したバックベルトから物を取り出すことが円滑であり、時間を節約する。
４．スキーを背負う時、バッグが安定し、スキーの重心に影響を及ぼさない。
５．平常時に背負っていても見た目が良好であり、小さい。
６．系列が何れも機能の要求を満たす下で最も軽量化されている。
【図面の簡単な説明】
【００１３】
【図１】従来のスノーボード用背負いベルトの立体図である。
【図２】本考案のフロント背負い式をバック背負い式へ転換可能な状態説明図である。
【図３】本考案のスノーボードを収納するステップの説明図である。
【図４】本考案のラッチベルト及び延伸パックの説明図である。
【図５】本考案の細部構造の機能説明図及びパック体の収納雄ラッチ及び収納雌ラッチの俯瞰図である。
【図６】本考案の収容袋及び保温袋の説明図である。
【考案を実施するための形態】
【００１４】
図２、図３、図４、図５、図６を参考し、本考案は、スキースポーツ専用バックパックを提供し、それは、内部に少なくとも１つの内部収容空間を提供する収容袋６０を設けるパック体１０と、その上に２つの靴体１４を附したスノーボード１３と、該スノーボード１３を安置させる空間を提供する下収納層１２と、該下収納層１２に設けられ、該スノーボード１３を収納後に該下収納層１２と相互に開閉関係を呈する（工程１、２）上収納層１１と、を含み、そのうち、該下収納層１２に下粘着面１０ａを設け、該スノーボード１３の収納時、該上収納層１１に1本以上の粘着面１０ｂを設け、該下粘着面１０ａと被覆粘着の用途をなす（工程３、４）スキースポーツ専用バックパックを提供することにある。
【００１５】
該パック体辺側は、該パック体１０を背負うことができる片側ショルダーストラップ５０ａを設ける。該片側ショルダーストラップ５０ａは、太ショルダーストラップ５０ｃ及び細バックベルト５０ｂの２つの方式の背負いベルト体であることができる。該下収納層１２の一側にラッチベルト１５を設ける。該パック体１０は、必要に応じて、１つ以上の延伸パック１１ａを付設できる。該パック体１０は、設計の必要に応じて上提げベルト３０を設け、一側提げベルト３１であることができる。そのうち、該パック体１０内部の該収容袋６０の収容空間の閉鎖方式は、１つ以上のチェーン１６を設けることができる。そのうち、該下収納層１２と該上収納層１１のスノーボード収納方式は、１つ以上の収納雄ラッチ１２ａと１つ以上の収納雌ラッチ２２ａを設けることができ、これにより、該スノーボード１３の固定を更に強固することができる。該収容袋６０は、１つ以上の保温袋６０ａを設けることができ、そのうち、該保温袋６０ａは、保温可能な金属箔で収納空間を被覆形成したものである。
【００１６】
上記を受けて、本考案の他の最も好適な実施例について、図２は、本考案のフロント背負い式をバック背負い式へ転換可能な状態説明図であり、図２から本考案の最も好適な実施例が、該パック体１０を両手で脇の下を経て前方へ移し、該スノーボード１３を背負って移動する時、パック体１０を背後に転向することは、背負っている方式が非常に移動に有利であり、該スノーボード１３を取り外すか、使用を終えて該スノーボード１３を収納する時、該パック体１０を取り外さずに、該スノーボード１３を該下収納層１２及び該上収納層１１内に置き、開閉方式で該下粘着面１０ａによって覆った後、該上粘着面１０ａ及び下粘着面１０ｂのマジックテープ（登録商標）等の手段で粘着封止される（図３参照、本考案のスノーボードの収納工程の説明図）。
【００１７】
図４を参酌し（本考案のラッチベルト及び延伸パックの説明図）、該パック体の該ラッチベルト１５は、該スノーボード１３を背負って移動する時、該ラッチベルトを該スノーボード１３及び該靴体１４に巻き付け、その固定性を更に強固にでき、更に多くのスキー活動に必要な物品を携帯でき、必要に応じて、更に多くの該延伸パック１１ａを追加し、更に多くの物品を収容、収納させ、随時使用でき、過剰なパックを減少する。
【００１８】
図５を参照し（本考案の細部構造機能の説明図）、該パック体１０の時間有効性及び信頼性を強化し、１つ以上のジッパー１６を増設でき、収納雄ラッチ２２ａ、収納雌ラッチ１２ａを増設でき、該スノーボード１３を手提げ携帯できるようにし、該上側提げベルト３０及び側方提げベルト３１を増加するよう設計でき、そのうち、雪の地の低温環境により、モバイル電子装置又は充電池の電源が損耗を生じることを回避防止するため、そのうち某１つの収容袋６０を金属箔材質で内部を覆うように変更でき、外部の低温と隔離し、モバイル電子装置又は充電池の電源の損耗の減少を達成できる。
【００１９】
上記要素により、以下の進歩性、実用性を有効に達成できる。
１．スキー／平常時の何れも使用できる。
２．隠したスノーボード背負いシステム：スノーボードの取り外し／組み立てが極めて迅速であり、更には、バッグを下ろす必要がない。
３．スリングバッグ（Sling Bag）斜め掛けバッグの設定、スノーボードの斜め掛けで足を打つことがなく、迅速に収容したバックベルトから物を取り出すことが円滑であり、時間を節約する。
４．スキーを背負う時、バッグが安定し、スキーの重心に影響を及ぼさない。
５．平常時に背負っていても見た目が良好であり、小さい。
６．系列が何れも機能の要求を満たす下で最も軽量化されている。
【００２０】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【００２１】
上記のように、本考案のスキースポーツ専用バックパックは、実用性に優れた考案であり、実用新案の出願要件に符合する。また、以上の説明は本考案の一つの実施例の詳細な説明であり、本考案の範囲を制限するものではない。本考案の範囲内にて行う変更や調整を行っても、本考案の重要な意義は失われず、本考案の範囲に含まれる。
【符号の説明】
【００２２】
１０  パック体
６０  収容袋
１３  スノーボード
１４  靴体
１２  収納層
１０ａ  下粘着面
１１  上収納層
１０ｂ  上粘着面
５０ａ  片側ショルダーストラップ
５０ｂ  細ショルダーストラップ
５０ｃ  太ショルダーストラップ
１５  ラッチベルト
１１ａ  延伸パック
３０  上側提げベルト
３１  側方提げベルト
１６  ジッパー
１２ａ  收納雌ラッチ
２２ａ  收納雄ラッチ
６０ａ  保温袋
【図１】
0003216032.tif 000003
【図２】
0003216032.tif 000004
【図３】
0003216032.tif 000005
【図４】
0003216032.tif 000006
【図５】
0003216032.tif 000007
【図６】
0003216032.tif 000008
【手続補正書】
【提出日】平成30年3月2日(2018.3.2)
【手続補正１】
【補正対象書類名】実用新案登録請求の範囲
【補正対象項目名】全文
【補正方法】変更
【補正の内容】
【実用新案登録請求の範囲】
【請求項１】
その上に２つの靴体挟持層を附したスノーボードを含むスキースポーツ専用バックパックであって、
更に、
内部に少なくとも１つの内部収容空間を提供する収容袋を設けるパック体と、
該スノーボードを安置させる空間を提供する下収納層と、
該下収納層に設けられ、該スノーボードを収納後に該下収納層と相互に開閉関係を呈する上収納層と、
を含み、そのうち、該下収納層に下粘着面を設け、該スノーボードの収納時、該上収納層に1本以上の粘着面を設け、該下粘着面と被覆粘着の用途をなすことを特徴とするスキースポーツ専用バックパック。
【請求項２】
前記パック体の側面は、該パック体を背負うことができる片側ショルダーストラップを設ける請求項１に記載のスキースポーツ専用バックパック。
【請求項３】
前記片側ショルダーストラップは、太ショルダーストラップ及び細バックベルトの２つの方式の背負いベルト体である請求項２に記載のスキースポーツ専用バックパック。
【請求項４】
前記下収納層の一側にラッチベルトを設け、該パック体は、必要に応じて、１つ以上の延伸パックを付設できる請求項１に記載のスキースポーツ専用バックパック。
【請求項５】
前記パック体は上提げベルトを設け、該上提げベルトが一側提げベルトである請求項１に記載のスキースポーツ専用バックパック。
【請求項６】
前記パック体内部の該収容袋の収納空間の閉鎖方式は、１つ以上のジッパーを設ける請求項１に記載のスキースポーツ専用バックパック。
【請求項７】
前記下収納層と該上収納層のスノーボード収納方式は、１つ以上の収納雄ラッチと１つ以上の収納雌ラッチを設け、これにより、該スノーボードの固定を更に強固する請求項１に記載のスキースポーツ専用バックパック。
【請求項８】
前記収容袋は、１つ以上の保温袋を設ける請求項１に記載のスキースポーツ専用バックパック。
【請求項９】
前記保温袋は、保温可能な金属箔で収納空間を被覆形成したものである請求項８に記載のスキースポーツ専用バックパック。